(57)【要約】【課題】従来の仏壇扉開閉装置の、駆動部と伝動部の設置位置と、駆動軸の角度を変更し、牽引方法や、折戸構造等を変更する事に依って、汎用性と利便性を向上させ、家具型仏壇、伝統型仏壇、次世代型仏壇等への汎用性を向上させる事が出来る省スペース型の仏壇扉開閉装置の提供。【解決手段】仏壇扉開閉装置の、駆動軸を該装置設置板平面に対し、水平方向から垂直方向に変更して、駆動部は該装置設置板下部へ装着し、伝動部は該装置設置板上部へ装着する事に依って、該装置設置板上部凸部の上下厚みを低く抑えると共に、仏壇折戸の牽引方法をシャフトに依る直結牽引から間接牽引に以下のように変更する。永久磁石と永久磁石の磁気引力に依って該折戸を間接牽引し、また、永久磁石と電磁石の磁気反発を応用し、この磁気反発に依って該折戸を折込み、この相互動作を応用する事で開閉する仏壇扉開閉装置。【選択図】図１
2011050574.tif 000002
【特許請求の範囲】
【請求項１】
仏壇扉開閉装置の設置板（１１）下部へ、モーター（１）、減速ギアーボックス（２）の駆動部を装着し、該開閉装置の設置板（１１）上部へ、タイミングプーリ（３）、タイミングプーリ（５）、タイミングベルト（４）、スライダー（６）、アーム（７）、シャフト（８）、永久磁石（９）等の伝動部を装着する。該開閉装置の設置板（１１）下部の駆動部は、天井板（２３）へ没入設置する事で、天井板（２３）から露出部分を低く抑えた仏壇扉開閉装置。
【請求項２】
仏壇扉開閉装置のタイミングベルト（４）は、スライダー（６）とアーム（７）に依って挟み込まれ固定される。スライダー（６）はスライダー誘導溝（１２）へ可動装着され、アーム（７）にシャフト（８）と、永久磁石（９）が連結される。依って、モーター（１）の動力は、減速ギアーボックス（２）に伝わりタイミングプーリ（３）を駆動させ、タイミングベルト（４）、スライダー（６）、アーム（７）、シャフト（８）と連結される事に依って連動する永久磁石（９）が、永久磁石誘導溝（２５）内を直線運動する事で、折戸（１５）は、天井板（２３）から分離されて、左右連動開閉ができる仏壇扉開閉装置。
【請求項３】
図１において、中心線（９９）を対称軸として、永久磁石（９）と、永久磁石（１６）に、対称な左側の永久磁石の極性は、永久磁石（９）、永久磁石（１６）とは逆の極性にする事に依り、上下左右の合計四個の永久磁石は各垂直な上下と各水平な左右、共に磁気引力が作用する様に装着され、この効果に依り磁気反発を回避して牽引駆動する事で、左右連動開閉ができる仏壇扉開閉装置。
【請求項４】
図５において、折戸（１５）の開き初動時には、永久磁石（１７）と電磁石（２０）の磁気反発を応用し、折戸連結蝶番（１８）側を谷折りにする補助動作をする事に依って、開き初動時の折戸（１５）上端の永久磁石（１６）と該開閉装置側に連結されている永久磁石（９）の牽引抵抗を軽減し、左右連動開閉ができる仏壇扉開閉装置。
【発明の詳細な説明】
【技術分野】
【０００１】
本発明は、仏壇扉開閉装置を対象とし、この仏壇扉開閉装置の設置板上部凸部の上下厚みを、低く抑える事に依り汎用性を向上させ、更に、磁気引力と磁気反発の原理を相互応用する事に依って、利便性と意匠性を向上させる事を目的とした、仏壇扉開閉装置に関するものである。
【背景技術】
【０００２】
従来の仏壇扉開閉装置は、モーター駆動軸、または減速ギアーボックス駆動軸を、該開閉装置の設置板上部平面に対し、水平装着した該開閉装置が多用されている。該開閉装置のモーターの上下厚み、または減速ギアーボックスの上下厚みは、該開閉装置の該設置板上部凸部の上下厚みを形成している。また、該開閉装置は仏壇天井板上部に対して面付けで設置され、該開閉装置と連結されたアームと、該天井板下部に設置された折戸上端のシャフトを、連結して連動させる必要がある。その為、該開閉装置が設置されている該天井板へは、該折戸上端に装着されたシャフトを誘導する貫通溝が必要である。
【先行技術文献】
【特許文献】
【０００３】
【特許文献１】特開２００３−１１６７０８号公報
【特許文献２】特開２００３−０１００３７号公報
【特許文献３】特開２０００−０１７９４８号公報
【特許文献４】特開平１１−０４６９７１号公報
【特許文献５】特開平１１−００４７４８号公報
【特許文献６】特開平１０−３１４０１０号公報
【特許文献７】特開平１０−３０４９６７号公報
【非特許文献】
【０００４】
【非特許文献１】実開平０７−０４２８５２号公報
【非特許文献２】実開平０２−１０５４８０号公報
【発明の概要】
【発明が解決しようとする課題】
【０００５】
仏壇扉開閉装置の設置板上部凸部の上下厚みを低く抑える事に依って汎用性が向上し、該開閉装置が牽引する折戸の牽引手段を変更する事に依って、該開閉装置の部品等が、外観露出する事が無い、利便性と意匠性の向上を目的とする仏壇扉開閉装置の提供。
【課題を解決するための手段】
【０００６】
本発明の仏壇扉開閉装置の設置板（１１）下部へ、モーター（１）と、減速ギアーボックス（２）の駆動部を装着する。該開閉装置の設置板（１１）上部へは、タイミングプーリ（３）、タイミングプーリ（５）、タイミングベルト（４）、スライダー（６）、アーム（７）、シャフト（８）、永久磁石（９）等の伝動部を装着する。該開閉装置の設置板（１１）下部の駆動部は、天井板（２３）へ没入設置する事で、天井板（２３）からの露出部分を低く抑える事が出来る。
【０００７】
本発明の仏壇扉開閉装置のタイミングベルト（４）は、スライダー（６）とアーム（７）に依って挟み込まれ固定される。スライダー（６）はスライダー誘導溝（１２）へ可動装着され、アーム（７）にシャフト（８）と、永久磁石（９）が連結される。依って、モーター（１）の動力は、減速ギアーボックス（２）に伝わりタイミングプーリ（３）を駆動させて、タイミングベルト（４）、アーム（７）、シャフト（８）等に連結され連動する永久磁石（９）が、永久磁石誘導溝（２５）を直線運動する事で、天井板（２３）上部で折戸（１５）と分離した開閉動作を行う事が出来る。従って、従来の仏壇扉開閉装置の天井板に加工される折戸上端のシャフトを誘導する貫通溝は不要となる。更に、永久磁石（９）の極性と折戸（１５）上端の永久磁石（１６）の極性を磁気引力が作用する様に装着する事に依って、従来の仏壇扉開閉装置の折戸上端シャフトと同様の動作をする事が出来る。上記の説明は、中心線（９９）右側折戸（１５）の動作説明である。中心線（９９）左側折戸は、左右対称に連動する。但し、永久磁石（９）と永久磁石（１６）に相対な左側二個の永久磁石の極性は、右側とは反対の極性にする事に依り、上下左右の合計四個の永久磁石は、各垂直な上下と各水平な左右、共に磁気引力が作用する様に装着される。この効果に依り磁気反発を回避し、折戸（１５）は牽引され開閉する。
【０００８】
本発明の仏壇扉開閉装置は、折戸（１５）の開き初動時は、永久磁石（１７）と電磁石（２０）の磁気反発に依り、折戸連結蝶番（１８）側を谷折りにする補助動作をする事に依って、開き初動時の折戸（１５）上端の永久磁石（１６）と該開閉装置側に連結されている永久磁石（９）の牽引抵抗を軽減させる。上記の説明は、中心線（９９）右側折戸（１５）動作説明である。中心線（９９）左側折戸は、連動して対称に動作する。
【発明の効果】
【０００９】
本発明の、仏壇扉開閉装置を設置した仏壇折戸（１５）へ、シャフト（８）に依って、該扉開閉装置から直接連結はしない事から、シャフト（８）と永久磁石誘導溝（２５）は、外観へ露出する事は無いので、利便性と意匠性は向上する。依って、停電等の際は、該扉開閉装置に依る開閉動作とは違う開閉角度で、手動に依り容易に開閉が出来る。また、該扉開閉装置は没入設置式の省スペース型である事から、小型仏壇等への汎用性が向上し、多種多様な製品開発が可能となる。
【図面の簡単な説明】
【００１０】
【図１】本発明、扉開閉装置の駆動部と伝道部の三面図。
【図２】本発明、扉開閉装置の実施例正面図。
【図３】本発明、扉開閉装置の実施例側面図。
【図４】本発明、扉開閉装置の実施例平面図。
【図５】本発明、扉開閉装置の磁気反発応用の実施例平面図。
【発明を実施するための形態】
【００１１】
本発明の扉開閉装置は、従来の扉開閉装置と設置手段は異なり、天井板へ没入設置する事で設置板上部凸部を低く抑える事が出来る為、家具式仏壇や伝統的な小型仏壇等への汎用が可能となる。更に、本発明の扉開閉装置の折戸開閉方法は永久磁石と永久磁石の磁気引力による牽引と、永久磁石と電磁石の磁気反発で折戸を折込む相互作用とで動作する扉開閉装置である。本発明の扉開閉装置を設置した仏壇は、天井板下面には貫通溝は無く、折戸上端にも連結シャフトは無いので天井板と折戸は完全に分離される。依って、本発明の扉開閉装置の部品等は外観へ露出する事は無い為、汎用性と意匠性は共に向上する。また、従来の扉開閉装置と同様に仏壇内部厨子扉への利用も期待される。尚、本発明の扉開閉装置の薄型化や小型化等を進める事に依り、壁掛け型仏壇や壁収納型仏壇等の新分野も開発可能となる。更に、リモコンやパソコン等の遠隔操作技術と組み合わせる事に依って、身障者や介護老人等が安全に利用できる利便性のある仏壇の開発が可能となる。
【実施例】
【００１２】
本発明の実施例を、各図面に基づき説明する。先ず図１は、本発明の駆動部と伝動部である。設置板（１１）下部に装着したモーター（１）の動力を減速ギアーボックス（２）に伝え、設置板（１１）上部のタイミングプーリ（３）を駆動する。タイミングベルト（４）は、タイミングプーリ（３）とタイミングプーリ（５）に依って張られタイミングプーリ（５）下部のテンション調整ボルト（１０）に依って張り調整する。タイミングベルト（４）は、スライダー（６）とアーム（７）に依り挟み込み固定する。スライダー（６）は、スライダー誘導溝（１２）へ可動装着する。スライダー（６）に固定したアーム（７）には、シャフト（８）と永久磁石（９）を連結する。また、中心線（９９）を挟む反対側のスライダー、アーム、シャフト、永久磁石も上記と同様に装着する事で、本発明の駆動部と伝動部が構成される。
【００１３】
前記した本発明の駆動部と伝動部は、図２、図３、図４の実施例の様に、天井板（２３）へ没入設置する事で省スペース化が可能となる。また、天井板（２３）に非貫通加工された永久磁石誘導溝（２５）の底面へ、敷居滑り（２６）を接着し、永久磁石（９）との摩擦を緩和する事に依って、トルクのロスを軽減する事が出来る。永久磁石誘導溝（２５）と中心線（９９）の交差部分には、磁力吸着防止壁（２４）を設置し、永久磁石（９）の左側に相対する永久磁石との磁力吸着を防止して、無理の無い引分けが出来る事に依り、左右連動開閉を可能にする。
【００１４】
図５は、磁気反発を応用した折戸（１５）の折込み実施例である。折戸（１５）の開き初動時は、永久磁石（１７）と電磁石（２０）の磁気反発に依り、折戸連結蝶番（１８）側を谷折りにする。開き初動時の折戸（１５）上端の永久磁石（１６）と本発明の扉開閉装置側に連結されている永久磁石（９）の牽引抵抗を軽減し、左右連動開閉を可能にする。
【産業上の利用可能性】
【００１５】
本発明の扉開閉装置は、天井板（２３）へ没入設置する事に依って、従来の扉開閉装置と比較した場合、省スペース型である。依って、小型仏壇等への汎用性は向上する。また、折戸（１５）部品の組立手順や仏壇本体への装着手順、駆動部と伝動部の設置手順等に大きな制約は無く、従来折戸の様に上端シャフトやシャフト誘導溝は、外観へ露出しない事に依り、利便性と意匠性は向上する。更に、アームを実施例の固定式から従来の自在式にする事で汎用性は向上する為、家具型仏壇、伝統型仏壇、壁掛け型仏壇、壁収納型仏壇への利用が可能となり、リモコンやパソコン等の遠隔操作技術と組み合わせる事に依って、身障者や介護老人等が安全に利用出来る利便性のある仏壇の開発が期待できる。
【符号の説明】
【００１６】
１    モーター
２    減速ギアーボックス
３    タイミングプーリ(駆動軸)
４    タイミングベルト
５    タイミングプーリ(テンション)
６    スライダー
７    アーム
８    シャフト
９    永久磁石
１０  テンション調整ボルト
１１  設置板
１２  スライダー誘導溝
１３  開きリミットスイッチ
１４  閉じリミットスイッチ
１５  折戸
１６  永久磁石
１７  永久磁石
１８  折戸連結蝶番
１９  折戸吊り元蝶番
２０  電磁石
２１  棚板
２２  側板
２３  天井板
２４  磁力吸着防止壁
２５  永久磁石誘導溝
２６  敷居滑り(摩擦緩和)
９９  中心線
【図１】
2011050574.tif 000003
【図２】
2011050574.tif 000004
【図３】
2011050574.tif 000005
【図４】
2011050574.tif 000006
【図５】
2011050574.tif 000007